(57)【要約】【課題】従来構成を用いてシャッタ開口位置の迅速な移動を実現すること。【解決手段】シャッタ位置移動に使用する位置検出センサをシャッタ駆動モータ制御が終了した後も監視を一定時間継続する。この時にセンサの論理変化を認めた場合には、制御以外の意図しない要因によるシャッタ移動が発生したと判断する。即ち、定着シャッタ制御において、シャッタに連動して移動する櫛歯状のセンサフラグと位置検出センサを用いて制御を行う構成において、シャッタ停止後も位置検出センサの監視を継続することによって意図しない移動を検出可能とする。これにより、通常はポジション間直接移動を可能にするとともに、意図しない移動が発生した場合でも次の移動位置を間違えない制御を可能とする。【選択図】図１
2020042200.tif 000002
【特許請求の範囲】
【請求項１】
記録材上の画像をニップ部にて加熱する加熱回転体を有する画像加熱装置に用いられる送風冷却機構であって、
前記加熱回転体の所定の領域を冷却するための送風口と、
前記送風口に向って空気を送り込むファンと、
前記送風口を開閉するためのシャッタ部材と、
前記送風口を閉じるための閉じ位置と、前記送風口の開口幅を前記画像加熱装置に導入される記録材の幅方向長さに応じた所定の幅にするための開き位置と、を取り得るように前記シャッタ部材を移動させる移動機構と、
前記シャッタ部材の位置を検出するための検知手段と、
前記検知手段の出力に基づいて前記移動機構を制御する制御部と、を有し、
前記検知手段は、前記シャッタ部材の位置を確定させるシャッタ位置確定手段と、前記シャッタ部材の開閉位置を検出するためのシャッタ位置検出センサと、前記画像加熱装置に導入される記録材の幅方向長さに対応したシャッタ位置に応じて、前記シャッタ位置検出センサにＯＮまたはＯＦＦのいずれかの論理を発生させるセンサフラグ群と、を有し
前記制御部は、前記シャッタ位置検出センサの信号の立ち上がりと立ち下がりの両エッジを検出することで目標のフラグまで前記シャッタ部材を移動した後、所定距離進行して停止する制御を行うシャッタ移動制御モードと、前記シャッタ移動制御モードを実施していない状態で、もしくは前記シャッタ位置確定手段によるシャッタ位置確定動作を実施していない状態で、前記シャッタ位置検出センサの信号の変化を監視する非動作中のセンサ監視モードと、を選択的に実施可能であり、
前記センサ監視モードは、前記シャッタ移動制御によるシャッタ移動の終了と同時に開始され、前記センサ監視モードにおいてセンサ信号の論理変化を検出していた場合には、前記シャッタ移動制御による次回のシャッタ移動を行うより前に、前記シャッタ位置確定手段によるシャッタ位置確定動作を行うことを特徴とする送風冷却機構。
【請求項２】
前記センサ監視モードは、前記シャッタ移動制御モードによるシャッタ移動完了後、任意の期間に渡りセンサ信号論理の変化が発生するか監視することを特徴とする請求項１に記載の送風冷却機構。
【請求項３】
前記シャッタ位置確定手段による前記シャッタ位置確定動作は、前記シャッタ移動制御モードによる次回のシャッタ移動を開始するときに実施されることを特徴とする請求項１または２に記載の送風冷却機構。
【請求項４】
前記制御部は、前記画像加熱装置の制御に連動して発行されるシャッタ動作命令を受信する受信手段を有し、前記シャッタ位置確定手段による前記シャッタ位置確定動作は、前記画像加熱装置のジョブ終了に連動して発行された前記シャッタ動作命令を受信した時に実施されることを特徴とする請求項１ないし３の何れか一項に記載の送風冷却機構。
【請求項５】
記録材の搬送が中央基準搬送であり、前記送風口は前記中央基準搬送の基準線に対して対称的に２つ配置されており、各送風口に対してそれぞれ前記シャッタ部材が配設されていることを特徴とする請求項１ないし４の何れか一項に記載の送風冷却機構。
【請求項６】
記録材の搬送が片側基準搬送であり、前記送風口は１つであることを特徴とする請求項１ないし４の何れか一項に記載の送風冷却機構。
【請求項７】
記録材上の画像をニップ部にて加熱する加熱回転体と、
請求項１ないし６の何れか一項に記載の送風冷却機構と、を有する
ことを特徴とする画像加熱装置。
【発明の詳細な説明】
【技術分野】
【０００１】
本発明は、画像加熱装置に用いられる送風冷却機構、及び画像加熱装置に関する。
【０００２】
画像加熱装置は、例えば、電子写真方式等を用いた、複写機、プリンタ、ＦＡＸ、及びこれらの機能を複数備えた複合機等の画像形成装置に搭載される、記録材上に形成されたトナー像（画像）を加熱定着する定着装置として用い得る。
【背景技術】
【０００３】
現在、画像形成装置の定着技術のひとつにオンデマンド定着方式が存在する。この方式は薄い定着フィルムに線状のセラミックヒータを接触させた構造で、フィルムを介して記録材（メディア：以下、用紙と記す）に熱を与え画像を定着させるというものである。
【０００４】
特徴としては温度立ち上がりが早いことがあげられ、そのため用紙が定着装置を通過するときだけヒータが作動すればよく、画像形成装置の低電力化に貢献している。その反面、幅方向のサイズが小さい用紙を通紙した場合には定着ニップ部における用紙の非通紙部分に熱が滞り非通紙部の温度が上昇するいわゆる端部昇温が発生するため、定着ニップ部端部を通紙幅に合わせて冷却しなければいけなかった。
【０００５】
従来は、特許文献１に記載のような、定着ニップ部の端部に送風を行うファンと、定着ニップ部と前記ファンの間に位置して通紙幅方向に開閉するシャッタとを有する定着装置が知られている。シャッタにはシャッタ位置検出用のセンサと通紙サイズに応じた切欠きのあるフラグが備えられ、シャッタ位置検出用センサの立ち上がり／立下りエッジを検出してシャッタ位置制御を行うことで適切な定着ニップ部の端部冷却を可能としている。
【０００６】
特許文献１の構成では、シャッタ開閉が完了した後も、メカ構成に起因するガタやイナーシャ等によってシャッタが目標位置を外れて停止する現象が確認されている。もし、この現象により目標のセンサフラグでシャッタを停止できなかった場合は、続けてセンサエッジ検出によるシャッタ位置移動を行うと目標とは異なるシャッタ位置に誤ってシャッタが停止してしまう。シャッタが目標と異なるシャッタ位置に移動してしまった場合、定着ニップの端部冷却に過不足が発生し画質や生産性に影響するため、確実な制御のため従来技術のようにシャッタ制御開始毎にホームポジションに戻る制御を行っていた。
【先行技術文献】
【特許文献】
【０００７】
【特許文献１】特開２００８−３１４１号公報
【発明の概要】
【発明が解決しようとする課題】
【０００８】
しかしながら、上記従来の構成では目標位置に移動する前に必ずホームポジションを経由するため、目標位置へ直接移動するよりも余計な移動時間を要するケースが発生する。最たる例でいえば、シャッタの現在位置がホームポジションから一番遠い停止位置であり、かつシャッタの次の目標位置が一つ隣接する位置だった場合、ほぼシャッタ一往復分相当の移動時間を要する。
【０００９】
今後、画像形成装置にはより幅の狭い用紙への対応が求められ、シャッタの開口幅も大きく取られる傾向がある。反面、生産性の向上も求められ、迅速に端部冷却を行うことも求められる。そのため、上記従来技術では今後、幅の狭い用紙の対応と生産性の向上の両立が難しくなることが想定される。
【００１０】
本発明の目的は、シャッタ部材の迅速な移動を実現することにある。
【課題を解決するための手段】
【００１１】
上記の目的を達成するための本発明に係る送風冷却機構の代表的な構成は、
記録材上の画像をニップ部にて加熱する加熱回転体を有する画像加熱装置に用いられる送風冷却機構であって、
前記加熱回転体の所定の領域を冷却するための送風口と、
前記送風口に向って空気を送り込むファンと、
前記送風口を開閉するためのシャッタ部材と、
前記送風口を閉じるための閉じ位置と、前記送風口の開口幅を前記画像加熱装置に導入される記録材の幅方向長さに応じた所定の幅にするための開き位置と、を取り得るように前記シャッタ部材を移動させる移動機構と、
前記シャッタ部材の位置を検出するための検知手段と、
前記検知手段の出力に基づいて前記移動機構を制御する制御部と、を有し、
前記検知手段は、前記シャッタ部材の位置を確定させるシャッタ位置確定手段と、前記シャッタ部材の開閉位置を検出するためのシャッタ位置検出センサと、前記画像加熱装置に導入される記録材の幅方向長さに対応したシャッタ位置に応じて、前記シャッタ位置検出センサにＯＮまたはＯＦＦのいずれかの論理を発生させるセンサフラグ群と、を有し
前記制御部は、前記シャッタ位置検出センサの信号の立ち上がりと立ち下がりの両エッジを検出することで目標のフラグまで前記シャッタ部材を移動した後、所定距離進行して停止する制御を行うシャッタ移動制御モードと、前記シャッタ移動制御モードを実施していない状態で、もしくは前記シャッタ位置確定手段によるシャッタ位置確定動作を実施していない状態で、前記シャッタ位置検出センサの信号の変化を監視する非動作中のセンサ監視モードと、を選択的に実施可能であり、
前記センサ監視モードは、前記シャッタ移動制御によるシャッタ移動の終了と同時に開始され、前記センサ監視モードにおいてセンサ信号の論理変化を検出していた場合には、前記シャッタ移動制御による次回のシャッタ移動を行うより前に、前記シャッタ位置確定手段によるシャッタ位置確定動作を行うことを特徴とする。
【発明の効果】
【００１２】
本発明によれば、シャッタ部材の迅速な移動を実現することが可能となる。
【図面の簡単な説明】
【００１３】
【図１】実施例の定着端部冷却ユニット制御のフローチャート
【図１Ａ】図１のフローチャートの要約チャート
【図２】実施例の画像形成装置の構成略図
【図３】定着装置とその上側に配設されている定着端部冷却ユニットの外観斜視模式図
【図４】定着装置と定着端部冷却ユニットの縦断正面模式図
【図５】図４における（５）−（５）線矢視の模式図（定着端部冷却ユニットの底面模式図）
【図６】図４における（６）−（６）線矢視の横断面模式図
【図７】定着装置のジョブ実行中のフローチャート
【図８】定着端部冷却ユニットの制御系統のブロック図
【図９】シャッタ位置検出フラグおよびセンサの詳細図
【図１０】シャッタの意図しない移動の解説図
【図１１】定着端部冷却ユニット制御のタイミングチャート
【図１２】定着端部冷却ユニット制御の意図しないシャッタ移動が発生した時のタイミングチャート
【発明を実施するための形態】
【００１４】
《実施例》
（画像形成部）
図２は本実施例における画像形成装置（電子写真方式を採用したレーザビームプリンタ）１の構成略図である。この画像形成装置１はホスト装置ＢからプリンタコントローラＡに入力したプリントジョブ（画像形成ジョブ、印刷ジョブ）に対応したプリント動作（画像形成動作：印刷動作）を実行する。これにより画像形成物（成果物）をプリントアウト（印刷出力）する。
【００１５】
画像形成装置１によってトナー像（画像）が形成され得る記録媒体（メディア）としての記録材Ｐ（シート：枚葉物）には、例えば、普通紙、厚紙、封筒、葉書、シール、樹脂製シート、オーバーヘッドプロジェクター用シート（ＯＨＴシート）等が含まれる。以下の説明においては記録材を用紙又は紙、若しくはシートと記す。そして、通紙、給紙、排紙など紙に纏わる用語を用いて説明するが、材質は紙に限定されるものではない。
【００１６】
プリンタコントローラＡは、画像形成装置本体２の内部の、画像形成部３、給紙部１０（ａ・ｂ）、画像加熱装置である定着装置１１０、送風冷却機構である定着端部冷却ユニット１００をはじめとするプリンタ構成機器の制御や監視等をする。そして、各機器間の命令系統を統括して、画像形成装置全体の動作を取りまとめている。
【００１７】
ホスト装置Ｂはパソコン、イメージリーダ、ファクシミリ、ネットワーク等である。プリントジョブは、画像データ、指定された用紙の種類、坪量、サイズ、枚数、部数、レイアウト、後処理などのプリント条件情報が付加された画像形成指示のことである。ＣはプリンタコントローラＡに各種の情報を入力するための操作部（ユーザーや外部機器との通信、装置アクセスするためのユーザーインターフェース：操作パネル部）であり、操作入力部と表示部（報知部）等を有する。
【００１８】
画像形成部３は、電子写真作像機構であり、像担持体としての感光ドラム４、帯電部材５、レーザスキャナ６、現像器７、転写部材８、ドラムクリーナ９等を有する。以上の画像形成部３の作像プロセスや動作は周知であるので詳細な説明は割愛する。給紙部である用紙カセット１０ａ又は１０ｂから用紙Ｐが１枚分離給送され、レジストローラ対１２を含む搬送路１１を通って感光ドラム４と転写部材８とによって形成される転写部１３に所定の制御タイミングにて導入される。これにより、用紙Ｐ上（記録材上）に感光ドラム４の周面に形成されている未定着トナー像（画像）が順次に転写される。
【００１９】
転写部１３を通った用紙Ｐは感光ドラム４の面から分離されて搬送路１４を通って定着装置１１０に送られ、定着装置１１０により用紙上の未定着トナー像が固着像として加熱定着される。定着装置１１０を出た用紙Ｐは画像形成物として搬送路１６を通って排出トレイ１７に排出される。定着装置１１０の上側には定着端部冷却ユニット１００が配設されている。
【００２０】
（定着装置）
図３は定着装置１１０とその上側に配設されている定着端部冷却ユニット１００の外観斜視模式図、図４は定着装置１１０と定着端部冷却ユニット１００の縦断正面模式図である。図５は図４における（５）−（５）線矢視の模式図（定着端部冷却ユニット１００の底面模式図）、図６は図４における（６）−（６）線矢視の横断面模式図である。
【００２１】
ここで、定着装置１１０について、正面（前面）とは用紙Ｐの導入口側の面、背面（後面）とはその反対側の用紙Ｐの出口側の面である。左右とは定着装置１１０を正面から見て左（Ｌ）又は右（Ｒ）である。長手方向（幅方向）とは回転体の軸線方向又は母線方向である。一端側と他端側とは長手方向において一端側と他端側であり、本実施例においては、左側を一端側とし、右側を他端側としている。短手方向とは長手方向に直交する方向である。上下とは重力方向において上又は下である。用紙Ｐの幅とは用紙面における用紙搬送方向Ｐａに直交する方向の用紙寸法である。
【００２２】
本実施例における定着装置（以下、定着器とも記す）１１０は、フィルム（ベルト）加熱方式−加圧部材駆動方式のオンデマンド定着器（ＯＤＦ定着器）である。この定着装置１１０の基本構成や定着動作は公知に属するからその説明は簡単に止める。主として図６を参照して、定着装置１１０は、大別して、
１）無端状の加熱回転体（第１の回転体：伝熱部材）である定着フィルム（定着ベルト：以下、フィルムと記す）５１を備えた定着アセンブリ（加熱定着部材）５０と、
２）加圧回転体（第２の回転体）である弾性を有する加圧ローラ（加圧定着部材）６０と、
３）これらを収容した筐体（装置フレーム）７０と、
により構成されている。
【００２３】
筐体７０の正面側には筐体７０の長手に沿って長い用紙入口７１が、筐体７０の背面側には筐体７０の長手に沿って長い用紙出口７２が形成されている。フィルム５１と加圧ローラ６０とにより、画像形成部３から定着装置１１０に用紙入口７１を通して導入された未定着トナー像ｔを担持している用紙Ｐを挟持搬送してトナー像ｔを熱と圧力で定着するニップ部Ｎが形成されている。
【００２４】
定着アセンブリ５０は、本実施例においては、フィルム５１の内側に、フィルム５１を内側から加熱する加熱部としての定着ヒータ（加熱体、加熱源：以下、ヒータと記す）５２と、ヒータホルダ（断熱ホルダ：以下、ホルダと記す）５３を有する。ヒータ５２とホルダ５３はフィルム５１の幅方向（長手方向、母線方向：図６において図面に垂直方向）に長い部材である。
【００２５】
本実施例において、ヒータ５２は、通電（所定の電力の投入）により発熱して急峻に温度上昇する細長い板状のセラミックヒータ（線状のヒータ）である。ホルダ５３は、耐熱性の高い液晶ポリマー樹脂等で形成されている、横断面形状が略半円弧状樋型の断熱部材である。ヒータ５２はホルダ５３の下面（外面）の略中央部に長手に沿って接着固定されている。
【００２６】
フィルム５１は肉薄・低熱容量で可撓性を有する伝熱部材であり、自由状態においては自身の弾性によりほぼ円筒状を呈する。フィルム５１はヒータ５２が固定されたホルダ５３に対してルーズに外嵌されており、フィルム５１の内面とヒータ５２及びホルダ５３の外面とが摺動可能な構成とされている。ホルダ５３はヒータ５２を保持するとともにフィルム５１の周回軌道をガイドする役割を果たしている。
【００２７】
本実施例の加圧ローラ６０は、芯金６０ａと、その外周面にローラ状に形成されているシリコーンゴム層６０ｂと、さらにその外周面に積層されたＰＦＡ樹脂チューブの表面層６０ｃと、を有する弾性ローラである。加圧ローラ６０は、芯金６０ａの一端側と他端側の両端部がそれぞれ筺体７０の一端側と他端側の軸受部７３Ｌ・７３Ｒ間（図４）に回転可能に保持されて配設されている。加圧ローラ６０は駆動機構（不図示）により駆動回転体として図６において矢印Ｒ６０の反時計方向に所定の周速度で回転駆動される。
【００２８】
定着アセンブリ５０はヒータ５２の側を加圧ローラ６０に対向させて加圧ローラ６０に平行に配列して一端側と他端側の端末部材（フランジ部材）５４Ｌ・５４Ｒ（図４）をそれぞれ筺体７０の一端側と他端側の側板側の受け部材（不図示）に係合させてある。そして、この定着アセンブリ５０と加圧ローラ６０とが加圧機構（不図示）により所定の押圧力にて圧接されている。これにより、ヒータ５２と加圧ローラ６０とがフィルム５１を介して所定の押圧力をもって圧接して、フィルム５１と加圧ローラ６０との間に、用紙搬送方向Ｐａに関して、定着に必要な所定幅のニップ部Ｎが形成されている。
【００２９】
ＴＨは温度検知手段（温度検知部）としてのヒータ裏サーミスタ（温度検知サーミスタ）である。このサーミスタＴＨはヒータ５２のフィルム摺動面とは逆側の面（ヒータ裏面）に設置され、ヒータ５２の裏面温度を検知する。
【００３０】
プリンタコントローラＡはプリントジョブの入力に基づいて画像形成装置１のプリント動作を開始させる。定着装置１１０については、加圧ローラ６０を図６の矢印Ｒ６０の反時計方向に所定の周速度にて回転駆動させる。この加圧ローラ６０の回転に伴い、加圧ローラ６０とニップ部Ｎにおいて圧接された関係にあるフィルム５１は図６において矢印Ｒ５１の時計方向に加圧ローラ６０の回転周速度に対応した周速で従動して回転する。このとき、フィルム５１の内面はニップ部Ｎにおいてヒータ５２のフィルム摺動面に密着して摺動しながらホルダ５３の外回りを回転する状態になる。
【００３１】
また、プリンタコントローラＡはヒータ５２に対する電力供給（通電：所定の電力の投入）を開始する。これによりヒータ５２が発熱して急峻に温度上昇する。このヒータ５２の発熱により、ニップ部Ｎにおいてヒータ摺動面に内面が密着して摺動しながら回転するフィルム５１が内側から加熱され、フィルム５１が昇温する。プリンタコントローラＡはサーミスタＴＨから入力する温度情報に基づいてフィルム５１が所望の温度に加熱されて維持（温調）されるようにヒータ５２に対する供給電力（電力供給量）を制御する。
【００３２】
フィルム５１が所望の温度になったとき、画像形成部３側から定着装置１１０のニップ部Ｎに未定着トナー像ｔを担持した用紙Ｐが導入される。そして、ニップ部Ｎにおいて、用紙Ｐのトナー像担持面側はフィルム５１の外周面に密着し、用紙Ｐがフィルム５１と共に移動する。用紙Ｐがニップ部Ｎにて挟持搬送される過程においてフィルム５１の熱が用紙Ｐへと付与され、未定着トナー像ｔが用紙Ｐ上に溶融定着される。ニップ部Ｎを通過した用紙Ｐはフィルム５１から曲率分離され、筺体７０の用紙出口７２を通して定着装置１１０の外に送り出される。
【００３３】
なお、筺体７０の内部には、用紙の入口側ガイド部材、出口側ガイド部材、用紙の分離爪部材、用紙排出ローラ等が配設されているが図には省略した。
【００３４】
図７は、本実施例における定着装置１１０のプリントジョブ中の処理を簡単に示したフローチャートである。ジョブが開始されると、定着装置１１０はフィルム５１が通紙可能温度に到達するまで温調を実施する通紙前温調動作（Ｓｔｅｐ１０１）を実施する。フィルム５１が通紙可能温度に到達したらその旨をプリンタコントローラＡに伝え、用紙Ｐの通紙開始を待つ。
【００３５】
次に通紙される用紙の先端が定着装置１１０よりも用紙搬送方向上流側の所定位置に設定された温調開始位置（図２の用紙センサ１５の位置）に到達したかの監視を実施する（Ｓｔｅｐ１０２）。用紙先端が温調開始位置に到達したら（Ｓｔｅｐ１０２＝Ｙｅｓ）、通紙時温調動作に移行する（Ｓｔｅｐ１０３）。続いて用紙後端がニップ部Ｎを抜けるタイミングを監視し（Ｓｔｅｐ１０４）、用紙後端がニップ部Ｎを抜けたら（Ｓｔｅｐ１０４＝Ｙｅｓ）、次の用紙が存在するかを確認する（Ｓｔｅｐ１０５）。
【００３６】
次の用紙が有る場合（Ｓｔｅｐ１０５＝Ｎｏ）、通紙される用紙の種類やサイズの変化による温調の切り替えが必要か確認し（Ｓｔｅｐ１０７）、切り替えが不要なら（Ｓｔｅｐ１０７＝Ｎｏ）そのままＳｔｅｐ１０２へ戻り次の用紙の通紙を待つ。一方、温調切り替えが必要となった場合（Ｓｔｅｐ１０７＝Ｙｅｓ）、温調切り替え動作（Ｓｔｅｐ１０８）を実行してからＳｔｅｐ１０２へ戻る。すべての用紙の通紙が完了し、Ｓｔｅｐ１０５の判断がＹｅｓとなったとき、定着装置はヒータや各種モータの、端部冷却の制御等を終了させる通紙終了動作（Ｓｔｅｐ１０６）を実施して、ジョブを終了する。
【００３７】
（定着端部冷却ユニット）
本実施例において、定着装置１１０に対する用紙Ｐの搬送はいわゆる中央基準搬送でなされる。中央基準搬送とは、幅サイズの異なる用紙を搬送する際に、各用紙の幅方向（記録材の搬送方向と直交する方向）の用紙の中心（記録材の幅方向の中心）がほぼ一致するように搬送する搬送方式のことである。
【００３８】
図４において、Ｓはその搬送基準線（中央基準線：仮想線）である。ＷＰｍａｘは装置に使用可能な最大幅の用紙（例えば、ＬＴＲ用紙：幅２７９．４ｍｍ）の通紙領域幅（通過領域幅）である。ＷＰｍｉｎは装置に使用可能な最小幅の用紙（例えば、Ａ４−Ｒ用紙：幅２１０ｍｍ）の通紙領域幅である。最大幅用紙よりも幅狭の用紙を中央基準で搬送する場合、その幅狭用紙の幅方向において両外側（定着アセンブリ５０の一端側と他端側の両方）に、最大幅用紙の幅との差に対応する非通紙部（非通過部）がニップ部Ｎに存在する。
【００３９】
定着装置１１０の上側に配設されている定着端部冷却ユニット１００は幅狭用紙定を連続通紙した際に生じる定着アセンブリ５０のいわゆる非通紙部昇温を送風により冷却する送風冷却機構である。
【００４０】
定着端部冷却ユニット１００は、大別して、
１）定着装置１１０の長手に沿って長い筐体（装置フレーム）１２０と、
２）筐体１２０の一端側と他端側の内部にそれぞれ配設された一端側と他端側の冷却ファン（以下、ファンと記す）１０９Ｌ・１０９Ｒと、
３）筐体１２０の下面側に配設されたシャッタ機構１０３と、
を有する。
【００４１】
筐体１２０の上面板の一端側と他端側にはそれぞれ吸気口（開口部）１２１Ｌ・１２１Ｒが形成されている。また、筐体１２０の底面板の一端側と他端側にはそれぞれ送風口（開口部）１０１Ｌ・１０１Ｒが形成されている。ファン１０９Ｌ・１０９Ｒは、駆動されることで、それぞれ、吸気口１０８Ｌ・１０８Ｒから外部空気を吸い込んで送風口１０１Ｌ・１０１Ｒに向って冷却風ａを送風する。
【００４２】
定着装置１１０の筐体７０の上面板の一端側と他端側にはそれぞれ窓穴７４Ｌ・７４Ｒが形成されている。窓穴７４Ｌ・７４Ｒはそれぞれ定着アセンブリ５０の一端側と他端側の上面部に対向して位置しており、且つ、装置に使用可能な最小幅の用紙を通紙した際における定着アセンブリ５０の一端側と他端側の非通紙領域幅に対応して位置している。
【００４３】
定着端部冷却ユニット１００が定着装置１１０の上側に所定に配設された状態において、定着端部冷却ユニット１００の一端側と他端側の送風口１０１Ｌ・１０１Ｒは、それぞれ、定着装置１１０の側の上記の窓穴７４Ｌ・７４Ｒに対向して位置している。送風口１０１Ｌ・１０１Ｒの幅はそれぞれ窓穴７４Ｌ・７４Ｒの幅に対応している。即ち、送風口１０１Ｌ・１０１Ｒの形状・大きさはそれぞれ窓穴７４Ｌ・７４Ｒの形状・大きさに対応させてある。
【００４４】
定着端部冷却ユニット１００においてファン１０９Ｌ・１０９Ｒにより送風口１０１Ｌ・１０１Ｒに送風された冷却風ａは窓穴７４Ｌ・７４Ｒから筐体７０内に導入されて定着アセンブリ５０の一端側と他端側を送風冷却する。
【００４５】
シャッタ機構１０３は筐体１２０の底面板をシャッタフレームとしてその下面側に組み付けられており、一端側と他端側の一対の可動シャッタ（シャッタ部材）１０２Ｌ・１０２Ｒを有する。一端側のシャッタ１０２Ｌは一端側の送風口１０１Ｌの開口幅を調節するように移動する。他端側のシャッタ１０２Ｒは他端側の送風口１０１Ｒの開口幅を調節するように移動する。
【００４６】
シャッタ１０２Ｌ・１０２Ｒはラック−ピニオン機構１１１（シャッタを移動させる移動機構）により連結されている。１０４はピニオン、１０２Ｌ−ａ・１０２Ｒ１−ａはそれぞれシャッタ１０２Ｌ・１０２Ｒに結合されたラックである。ピニオン１０４がシャッタ駆動モータ（パルスモータ）１０８により正逆回転駆動される。これにより、シャッタ１０２Ｌ・１０２Ｒが連動して送風口１０１Ｌ・１０１Ｒの開口幅を同じように調節するように移動する。
【００４７】
上記のように、定着端部冷却ユニット１００には、送風口１０１Ｌ・１０１Ｒを覆う形で一対のシャッタ１０２Ｌ・１０２Ｒが備えられている。この一対のシャッタ１０２Ｌ・１０２Ｒは中央に向けて伸びるラック１０２Ｌ−ａ・１０２Ｒ１−ａを有しており、中央のピニオンギア１０４とかみ合っている。
【００４８】
本実施例においては、モータ１０８が所定の駆動速度で正回転駆動（ＣＷ方向：図５における矢印方向）されることでシャッタ１０２Ｌ・１０２Ｒが連動して所定の速度で開く方向（図５における矢印方向）に移動する。また、モータ１０８が所定の駆動速度で逆回転駆動（ＣＣＷ方向）されることでシャッタ１０２Ｌ・１０２Ｒが連動して所定の速度で閉じる方向に移動する。
【００４９】
即ち、ラック−ピニオン機構１１１は、シャッタ１０２Ｌ・１０２Ｒを、
ａ：送風口１０１Ｌ・１０１Ｒを閉じるためのとじ位置と、
ｂ：送風口１０１Ｌ・１０１Ｒの開口幅を装置に導入される用紙の幅方向長さに応じた幅にするための開き位置と、
を取り得るように移動させる移動機構である。
【００５０】
上記のように、シャッタ１０２Ｌ・１０２Ｒは、装置に通紙される用紙Ｐの幅に対応した位置に移動するように制御される。これにより送風口１０１Ｌ・１０１Ｒが、通紙される用紙の幅に最適な開口幅に調整されて、定着アセンブリ５０（フィルム５１）の非通紙部昇温する範囲に対して送風冷却がなされる。
【００５１】
本実施例における定着装置１１０は、用紙Ｐの搬送が中央基準搬送であるため、送風口１０１Ｌ・１０１Ｒは中央基準搬送の基準線Ｓに対して対称的に２つ配置されている。そして、各送風口１０１Ｌ・１０１Ｒに対してそれぞれシャッタ１０２Ｌ・１０２Ｒが配設されている。
【００５２】
また、定着端部冷却ユニット１００は、シャッタ１０２Ｌ・１０２Ｒの位置を検出するための検知手段１０５〜１０７を有する。この検知手段は
ａ：シャッタの位置を確定させるシャッタ位置確定手段１０５・１０６と、
ｂ：シャッタの開閉位置を検出するためのシャッタ位置検出センサ１０７と、
ｃ：定着装置１１０に導入される用紙の幅方向長さに対応したシャッタ位置に応じて、前記シャッタ位置検出センサにＯＮまたはＯＦＦのいずれかの論理を発生させるセンサフラグ群１０５と、
を有する。
【００５３】
上記の検知手段１０５〜１０７についてより具体的に説明する。本実施例においては、ラック−ピニオン機構１１１において、シャッタ１０２Ｌ・１０２Ｒをそれぞれ連結しているラック１０２Ｌ−ａ・１０２Ｒ−ａの一方のラック、本実施例においてはラック１０２Ｌ−ａに長手に沿ってセンサフラグ群１０５を有する。フラグ群１０５はシャッタ開口位置（シャッタの開閉位置）を検出するための切り欠き（各種幅サイズの用紙に対応して決められた複数のセンサフラグ）を有する。
【００５４】
また、その切り欠き（シャッタの開閉位置）を検出するシャッタ位置検出センサ１０７を有する。また、シャッタ１０２Ｌ・１０２Ｒがそれぞれ送風口１０１Ｌ・１０１Ｒを所定に十分に覆った全閉位置に位置したときのみフラグ群１０５によって遮光される位置にホームポジション検出センサ１０６を備える。
【００５５】
上記２つのセンサ１０７と１０６は定置部材であるシャッタフレームとしての筐体１２０の底面板に対して固定して配置されている。センサ１０７・１０６はフォトセンサであり、シャッタ１０２Ｌすなわちラック１０２Ｌ−ａと共に移動する切り欠きを有するフラグ群１０５の移動に伴うセンサ光路の遮光と透光とによりＯＮ信号とＯＦＦ信号を出力する。シャッタの位置を確定させるシャッタ位置確定手段はフラグ群１０５とホームポジション検出センサ１０６を用いたホームポジション検知動作である。これについては後述する。
【００５６】
図８は定着端部冷却ユニット１００を制御する端部冷却ユニット制御部３００を説明するためのブロック図である。この制御部３００は、ＣＰＵ(Central Processing Unit)３０１、メモリ３０２、定着器情報取得部３０３、シート（用紙）情報取得部３０４を有する。また制御部３００は、シャッタ制御開始命令受信部３０５、シャッタ制御部３０６、ファン制御部３０７を有する。
【００５７】
ＣＰＵ３０１は、所定の制御プログラムなどを実行することにより定着端部冷却ユニットの各種処理を実現する。メモリ３０２は、例えばＲＡＭ(Random Access Memory)、ＲＯＭ(Read Only Memory)などであり、各種プログラムおよび各種データを所定の記憶領域に記憶する。
【００５８】
定着器情報取得部３０３は、プリンタコントローラＡから現在の定着装置１１０のヒータやフィルムの中央および端部の温度などの情報を取得する。シート情報取得部３０４は、プリンタコントローラＡから、通紙される用紙の幅や坪量などの情報を取得する。
【００５９】
シャッタ制御開始命令受信部３０５は、定着装置１１０が制御に連動したタイミングで発行するシャッタ制御開始命令を受信する手段である。シャッタ制御開始命令は、図７のフローチャートにおけるジョブ開始時のＳｔｅｐ１０１、ジョブ終了時のＳｔｅｐ１０６、用紙種類が切り替わるＳｔｅｐ１０８といったタイミングで発行される。
【００６０】
シャッタ制御部３０６は、ホームポジション検出センサ１０６、シャッタ位置検出センサ１０７、シャッタ駆動モータ１０８を制御してシャッタを目標の位置まで移動するように、シャッタの移動機構であるラック−ピニオン機構１１１を制御する。ファン制御部３０７は、ファン１０９の動作を制御する。
【００６１】
図９はシャッタ全閉位置におけるセンサフラグ周辺の詳細図である。シャッタ１０２Ｌ（１０２Ｒ）を開方向へ動作させると、フラグ群１０５は図中では右方向へ進行する。図示するようにフラグ群１０５の凹凸には一か所につき一つ停止位置が規定されており、それぞれ対応する用紙サイズが割り当てられている。前述の停止位置がシャッタ位置検出センサ１０７の位置に移動した時、それぞれの用紙サイズに適したシャッタ開口位置となるよう配置されている。
【００６２】
シャッタ制御部３０６による制御方法は、まず前回の制御終了位置から目標位置までの間にある位置検出センサのセンサエッジの数を目標カウント数として決定する。次にシャッタ駆動モータ１０８の駆動開始後、シャッタ位置検出センサ１０７の論理を監視する。目標に設定したカウント数と同数のセンサエッジを検出したら、所定距離進行した後にシャッタ駆動モータ１０８を停止することでシャッタ１０２Ｌ（１０２Ｒ）は目標位置に停止する。詳細な制御は図１１のタイミングチャートで説明する。
【００６３】
また、本実施例ではシャッタ１０２Ｌ（１０２Ｒ）の全閉位置をホームポジションと設定している。図９で示したフラグ位置がシャッタ１０２Ｌ（１０２Ｒ）の全閉状態、すなわちシャッタ１０２Ｌ（１０２Ｒ）のホームポジション位置である。ストッパ４０１によって、シャッタ１０２Ｌ（１０２Ｒ）が図９の状態よりさらに閉方向、すなわち図中の左方向へは動作しないよう規制されている。このことから、ホームポジション検出センサ１０６は、シャッタ１０２Ｌ（１０２Ｒ）がホームポジションに位置さた時のみ遮光されることがわかる。
【００６４】
したがって、ホームポジション検出センサ１０６の論理が透過である場合、シャッタ１０２Ｌ（１０２Ｒ）はホームポジション以外の場所にあることが検出可能である。そして、ホームポジション以外の場所にフラグが移動しているときは、シャッタ駆動モータ１０８をホームポジション検出センサ１０６が遮光されるまで全閉方向へ駆動し続けることでシャッタ１０２Ｌ（１０２Ｒ）のホームポジション検出動作を実現できる。即ち、シャッタの位置を確定させるシャッタ位置確定手段はフラグ群１０５とホームポジション検出センサ１０６を用いたホームポジション検知動作である。
【００６５】
図１は本実施例におけるシャッタ制御のフローチャートである。本フローの開始トリガは、図８の説明で述べたプリンタコントローラＡが発行するシャッタ制御開始命令をシャッタ制御開始命令受信部３０５が受信したタイミングである。ＣＰＵ３０１はまず、プリンタコントローラＡから前述のシート情報取得部３０４によって次に通紙される用紙幅などのシート情報を取得する（Ｓｔｅｐ２０１）。
【００６６】
次に、前述のプリンタコントローラＡから前述の定着器情報取得部３０３により、定着装置１１０のフィルムや加圧ローラの各部温度の情報を取得する（Ｓｔｅｐ２０２）。これら得られた情報より、シャッタ１０２Ｌ（１０２Ｒ）の目標位置を決定する（Ｓｔｅｐ２０３）。
【００６７】
次に、メモリ３０２に保存されているシャッタ１０２Ｌ（１０２Ｒ）の現在位置が不定か否か判断する（Ｓｔｅｐ２０４）。不定の場合（Ｓｔｅｐ２０４＝Ｙｅｓ）、前述のホームポジション検出動作を実施するため、シャッタ駆動モータ１０８をシャッタ１０２Ｌ（１０２Ｒ）を全閉方向へ移動させるように駆動を開始する（Ｓｔｅｐ２０５）。シャッタ１０２Ｌ（１０２Ｒ）のホームポジションへの移動検出を完了したら（Ｓｔｅｐ２０６＝Ｙｅｓ）、シャッタ駆動モータ１０８を停止する（Ｓｔｅｐ２０７）。
【００６８】
そして、メモリ３０２に保存されているシャッタ１０２Ｌ（１０２Ｒ）の現在位置情報をホームポジションである旨更新する（Ｓｔｅｐ２０８）。もし、Ｓｔｅｐ２０４の判定がＮｏの場合は、Ｓｔｅｐ２０５〜２０８はスキップする。
【００６９】
なお、メモリ３０２に保存されているシャッタ１０２Ｌ（１０２Ｒ）の現在位置は、定着端部冷却ユニット１００の電源起動直後は不定である。そこで、初期化動作として一度ホームポジション検出動作（Ｓｔｅｐ２０５〜２０８と同等の動作）を行い、ホームポジションに確定させておく。
【００７０】
次に、シャッタ１０２Ｌ（１０２Ｒ）の現在位置と目標位置から、移動に用いるセンサエッジカウント数を算出する（Ｓｔｅｐ２０９）。そして、シャッタ１０２Ｌ（１０２Ｒ）を目標方向へ移動させるようにシャッタ駆動モータ１０８の駆動を開始する（Ｓｔｅｐ２１０）。駆動を開始したらメモリ３０２に保存されているシャッタ１０２Ｌ（１０２Ｒ）の現在の開口位置を不定に更新する（Ｓｔｅｐ２１１）。
【００７１】
シャッタ位置検出センサ１０６で目標のセンサエッジ回数を検出するまで監視を継続する（Ｓｔｅｐ２１２）。そして、目標のセンサエッジ数に到達したら（Ｓｔｅｐ２１２＝Ｙｅｓ）、シャッタ１０２Ｌ（１０２Ｒ）が所定距離進行した後にシャッタ駆動モータ１０８を停止する（Ｓｔｅｐ２１３）。
【００７２】
シャッタ駆動モータ１０８の停止後、メモリ３０２に保存されているシャッタ１０２Ｌ（１０２Ｒ）の現在位置情報を現在の目標位置である旨更新する（Ｓｔｅｐ２１４）。続けて、停止後センサ監視時間ｔ４が経過するまでシャッタ位置検出センサ１０７の論理変化を監視する（Ｓｔｅｐ２１５）。シャッタ位置検出センサ１０７の論理変化を検出したら（Ｓｔｅｐ２１６＝Ｙｅｓ）、メモリ３０２に保存されているシャッタ１０２Ｌ（１０２Ｒ）の現在位置情報を不定である旨更新して（Ｓｔｅｐ２１７）、制御を終了する。
【００７３】
シャッタ位置検出センサ１０７の論理が変化することなく、前述の停止後センサ監視時間ｔ４が経過したら（Ｓｔｅｐ２１５＝Ｙｅｓ）、制御終了する。なお、前述した停止後センサ監視時間ｔ４は、あらかじめ実験によって計測したガタやイナーシャにより発生する移動にかかる時間を集計して、これにマージンを加えた時間を用いる。
【００７４】
ここで、図１０を用いて本発明で課題として挙げている機構のガタやイナーシャによる意図しない移動の様子について説明する。以下、任意のセンサフラグ６０１中に設定された目標停止位置６０２がシャッタ位置検出センサ１０７の位置で止まるよう制御するときの動作で説明する。まず、図１０において（ａ）はセンサエッジ検出前の様子である。シャッタ１０２Ｌ（１０２Ｒ）に連動してフラグ６０１は図中左方向（シャッタ閉じ方向）に進行している。
【００７５】
次に（ｂ）は任意のセンサフラグ６０１のエッジがシャッタ位置検出センサ１０７に到達した時の図である。この時、シャッタ位置検出センサ１０７の検出論理はＯＮとなり、ここからモータ停止制御を開始する。
【００７６】
具体的には、フラグ６０１のエッジと目標停止位置６０２間の距離ｄ３をまず規定する。距離ｄ３から、モータ停止に必要なモータ静定時間ｔ２中に進行する距離ｄ２を差し引いた距離ｄ１を求める。この距離ｄ１をシャッタ駆動モータ１０８の定常時の速度で進行する時間をｔ１として（以降、モータ停止開始時間と呼称する）、時間ｔ１だけ待機した後にシャッタ駆動モータ１０８に停止要求を出すことで、目標の位置でフラグが停止可能となる。
【００７７】
（ｃ）はモータ静定時間ｔ２経過したときのシャッタフラグ位置である。この時点でシャッタ駆動モータ１０８は停止しシャッタ１０２Ｌ（１０２Ｒ）は目標の位置に到達しているが、ガタやイナーシャによりシャッタは移動を継続している状態である。
【００７８】
（ｄ）はガタやイナーシャの影響による移動が停止した状態を示す。任意のセンサフラグ６０１はシャッタ位置検出センサ１０７を外れ、検出論理はＯＦＦとなってしまっている。これが、現在認識している停止位置と実際の停止位置がずれてしまった状態である。このまま次回の移動でセンサエッジ数をカウントして移動を実施すると、目標位置と実際の停止位置が食い違ってしまう。
【００７９】
なお、シャッタ駆動モータ１０８のモータ静定時間ｔ２はシャッタ移動時のシャッタ駆動モータ１０８の定常時速度と減速度の設定によって決定される。また、モータ停止開始時間ｔ１は任意のセンサフラグ中の目標停止位置と前述のモータ静定時間ｔ２中に進行する距離ｄ２より算出される。そのため、これらの時間、位置関係はすべての目標停止位置で共通とは限らない。また、ここではＯＮフラグ中に存在する目標位置で説明したが、ＯＦＦの切欠き中にある目標位置についても同様に考えることができる。
【００８０】
図１１は本実施例のシャッタ制御のタイミングチャートである。縦軸はシャッタ駆動モータ１０８についてはＣＷ方向（正回転方向：シャッタ開き方向）の回転をプラスとしたときの回転速度、シャッタ位置検出センサ１０６については遮光状態をＯＮとしたときのセンサ論理である。また、あわせてシャッタ制御部３０６（図８）が現在認識している位置情報を最下段に記載する。横軸はすべてに共通して経過時間Ｔである。
【００８１】
ここでは、ＬＴＲからＬＴＲ−Ｒへシャッタが位置移動する場合を例に説明する。移動に伴って発生するセンサエッジは、ＯＦＦエッジ２回、ＯＮエッジ２回である。まず、シャッタ駆動モータ１０８をシャッタ開き方向すなわちＣＷ方向へ駆動させる。同時にシャッタ位置検出センサ１０７の監視を開始すると、やがてセンサ論理がＯＦＦ、ＯＮと交互に変化し始める。目標とする２回のＯＦＦエッジを検出した後、２回目のＯＮエッジを検出したら前述のモータ停止開始時間ｔ１の経過を待ち、シャッタ駆動モータ１０８を停止する。
【００８２】
なお、シャッタ駆動モータ１０８の停止には、停止要求を受け停止するまでモータ静定時間ｔ２が必要となることもこの図より判る。モータ静定時間ｔ２経過後、停止後センサ監視時間ｔ４経過するまで、シャッタ位置検出センサ１０７の監視を継続して制御を終了する。
【００８３】
図１２は意図しない移動が発生した時のタイミングチャートである。条件は図１０と同様にＬＴＲからＬＴＲ−Ｒへシャッタが位置移動した後に意図しない移動が発生したものとする。モータ静定時間ｔ２経過待ちまでは図１０と同様であるが、停止後センサ監視時間ｔ４の間に、ガタやイナーシャによる移動が発生し、シャッタ位置検出センサ１０７の論理がＯＦＦに変化している点が図１０と異なる点である。このとき、シャッタ制御部３０６では図１のＳｔｅｐ２１５の判定がＹｅｓとなり、メモリ３０２に記録している現在位置を不定と更新するＳｔｅｐ２１６が実施される。
【００８４】
これにより、次回シャッタ位置移動時には現在位置が不定の状態で制御が開始されるため、Ｓｔｅｐ２０４においてＹｅｓの判定となりホームポジション検出が実施される。これによって、意図しない移動によって発生したメモリ３０２に記録している現在位置と実際の位置の差が解消され、正しくシャッタ位置が制御されるようになることがわかる。
【００８５】
以上のように、シャッタ移動モータ停止後も継続してシャッタ位置検出センサ１０６のエッジ監視を継続することによって、制御によって把握しているシャッタ位置と実際のシャッタ位置が異なってしまう状態を検出可能とすることが本発明の特徴である。これによって、シャッタ目標位置間の直接移動が可能となるか判断可能となるため、シャッタ移動の高速化が現在の製品構成のまま実施できる
図１Ａは図１のフローチャートの要約チャートである。シャッタ駆動モータ１０８の停止後もセンサ１０７の監視を継続して、意図しないシャッタ移動を検出する。検出しなかったらシャッタを直接次のポジションに移動する。検出したらシャッタをホームポジションに戻してから次のポジションに移動する。
【００８６】
図１、図１Ａで説明したシャッタ移動制御の特徴をまとめると次のとおりである。
【００８７】
１）制御部３００は、シャッタ移動制御モード（図１のＳｔｅｐ２１０〜２１３）と、非動作中のセンサ監視モード（図１のＳｔｅｐ２１５〜２１７）と、を選択的に実施可能である。
【００８８】
２）シャッタ移動制御モードは、シャッタ位置検出センサ１０７の信号の立ち上がりと立ち下がりの両エッジを検出することで目標のフラグまでシャッタを移動した後、所定距離進行して停止する制御を行うモードである。
【００８９】
３）非動作中のセンサ監視モードは、前記シャッタ移動制御モードを実施していない状態で、もしくはシャッタ位置確定手段によるシャッタ位置確定動作を実施していない状態で、前記シャッタ位置検出センサの信号の変化を監視するモードである。シャッタ位置確定手段によるシャッタ位置確定動作（図１のＳｔｅｐ２０４〜２０８）は、フラグ１０５とホームポジション検出センサ１０６を用いたシャッタのホームポジション検知動作である
４）センサ監視モードは、シャッタ移動制御によるシャッタ移動の終了と同時に開始される。そして、センサ監視モードにおいてセンサ信号の論理変化を検出していた場合には、シャッタ移動制御による次回のシャッタ移動を行うより前に、シャッタ位置確定手段によるシャッタ位置確定動作を行う（図１のＳｔｅｐ２０４〜２０８）。
【００９０】
５）センサ監視モードは、シャッタ移動制御モードによるシャッタ移動完了後、任意の期間ｔ４に渡りセンサ信号論理の変化が発生するか監視する（図１のＳｔｅｐ２１５〜２１６）。
【００９１】
６）シャッタ位置確定手段によるシャッタ位置確定動作は、シャッタ移動制御モードによる次回のシャッタ移動を開始するときに実施される。
【００９２】
７）制御部３００は、定着装置１１０の制御に連動して発行されるシャッタ動作命令を受信する受信手段３０５を有する。シャッタ位置確定手段によるシャッタ位置確定動作は、定着装置１１０のジョブ終了に連動して発行されたシャッタ動作命令を受信した時に実施される。
【００９３】
図８では、端部冷却ユニット制御部３００はプリンタコントローラＡとは別のＣＰＵ、メモリを持ち、独立して制御を行っているよう述べている。しかし、プリンタコントローラＡが持つＣＰＵやメモリ資源を共有し、プリンタコントローラＡの制御部の一部として構成されていてもよい。
【００９４】
プリンタコントローラＡの制御部の一部として端部冷却ユニット制御部３００を有する場合、定着器情報取得部３０３やシート情報取得部３０４はプリンタコントローラＡが有するサーミスタや用紙幅センサといったハード資源を直接参照する構成でもよい。
【００９５】
また、図９の説明の際に現在位置検出手段として、シャッタ位置検出センサとは独立したホームポジション検出センサ１０６と、これを任意のシャッタ位置の時のみ遮光するフラグの構成によってホームポジション検知する例を示したが、手段はこれに限らない。
【００９６】
たとえばシャッタ位置検出センサ１０７のみを用い、用紙ごとに割り当てられたフラグのパターンには存在しないごく狭い幅のＯＮまたはＯＦＦ区間をフラグ群１０５に用意し、このパターンを検出できた箇所をホームポジションとする制御としても構わない。
【００９７】
図９、１０、１１において言及した停止後センサ監視時間ｔ４は、あらかじめ決められた固定値として説明したが、シャッタ移動距離などの要素に応じてガタやイナーシャによる移動時間が変化する場合などは可変させて構わない。ＣＰＵ３０１の資源が許せば、次回ジョブ開始まで常に監視継続であっても本案は成立する。
【００９８】
実施例では意図しない移動を検出した場合のホームポジション検出動作は次回シャッタ移動開始タイミングの直前に実施するものと示したが、次回シャッタ移動開始タイミングまでに実施されるならば特に限定はしない。たとえば、定着装置の制御タイミングのうち、定着終了動作（図２のＳｔｅｐ１０６）に連動したシャッタ制御開始命令をシャッタ制御開始命令受信部３０５が受信したタイミングで実施する、といった構成でもよい。
【００９９】
以上説明したように、シャッタ駆動モータ制御終了後もシャッタ位置検出センサの論理変化の監視を継続することで意図しないシャッタの移動を検出することが可能となる。これによって、従来の構成のままポジション間の直接移動を誤ることなく行うことが可能になる。
【０１００】
つまり、画像形成装置の定着装置における端部冷却シャッタ制御において、従来構成のままガタやイナーシャによるシャッタの意図しない移動を検出可能とする。結果、次の目標位置への直接移動の可否を判断することが可能となるため端部冷却シャッタの迅速な移動制御が実現可能となる。
【０１０１】
《その他の実施例》
（１）本発明を適用できる範囲において実施例に記載の構成を適宜変更してもよい。例えばローラ定着方式、ＩＨ定着方式の定着装置と実施例の様な送風冷却機構とを組み合わせてもよい。
【０１０２】
（２）実施例に示したフィルム加熱方式の定着装置１１０におけるフィルム５１は、ヒータ５２と断熱ホルダ５３によってその内面を支持され、加圧ローラ６０によって駆動される構成に限られない。例えば、フィルム５１は、複数のローラに架け渡されてこれらの複数のローラのいずれかによって駆動されるユニット方式であってもよい。
【０１０３】
（３）フィルム５１とニップ部Ｎを形成する加圧部材６０は、ローラ部材には限られない。例えば、複数のローラにベルトを架け渡した加圧ベルトユニット（これも定着部材である）を用いてもよい。
【０１０４】
（４）シャッタの位置を検知する検知手段としての複数のセンサフラグ１０５とフォトセンサ１０６・１０７は、フォトセンサ１０６・１０７をシャッタ１０２Ｌ（１０２Ｒ）に、センサフラグ１０５をシャッタフレーム１２０に配置することもできる。即ち、検知手段であるセンサフラグ１０５とフォトセンサ１０６・１０７は、一方をシャッタ１０２Ｌ（１０２Ｒ）に配置し、他方をシャッタフレーム１２０に対して固定して配設する。そして、両者の相対移動に伴うセンサ光路の遮光と透光とによりＯＮ信号とＯＦＦ信号を出力する構成にできる。
【０１０５】
（５）用紙Ｐを片側基準搬送する定着装置であってもよい。この場合は、送風口１０１は１つである。
【０１０６】
（６）定着装置１１０として用紙上に形成された未定着トナー像を加熱して定着する装置を例にして説明したがこれに限られない。例えば、用紙に仮定着されたトナー像を加熱し再定着することにより画像のグロス（光沢度）を増大させる装置（この場合も定着装置と呼ぶことにする）であってもよい。即ち、例えば、半定着済みのトナー画像を用紙に定着させる装置や、定着済みの画像に対して加熱処理を施す装置であってもよい。したがって、画像形成装置に搭載される定着装置６は、例えば、画像の光沢や表面性を調節する表面加熱装置であってもよい。
【０１０７】
（７）プリンタを例に説明した画像形成装置１は、モノクロの画像を形成する画像形成装置に限られず、カラーの画像を形成する画像形成装置でもよい。また画像形成装置は、必要な機器、装備、筐体構造を加えて、複写機、ＦＡＸ、及び、これらの機能を複数備えた複合機等、種々の用途で実施できる。
【符号の説明】
【０１０８】
１１０・・画像加熱装置（定着装置）、１１０・・送風冷却機構（定着端部冷却ユニット）、５１・・加熱回転体、Ｐ・・記録材、ｔ・・画像、１０１（Ｌ、Ｒ）・・送風口、１０２（Ｌ、Ｒ）・・シャッタ部材、１０９（Ｌ、Ｒ）・・ファン、１１１・・移動機構（ラック−ピニオン機構）、１０５〜１０７・・検知手段、３００・・制御部
【図１】
2020042200.tif 000003
【図１Ａ】
2020042200.tif 000004
【図２】
2020042200.tif 000005
【図３】
2020042200.tif 000006
【図４】
2020042200.tif 000007
【図５】
2020042200.tif 000008
【図６】
2020042200.tif 000009
【図７】
2020042200.tif 000010
【図８】
2020042200.tif 000011
【図９】
2020042200.tif 000012
【図１０】
2020042200.tif 000013
【図１１】
2020042200.tif 000014
【図１２】
2020042200.tif 000015